(57)【要約】【課題】正規のＩＤタグを所持する全ての利用者の区画内での滞在時間を測定することが可能であるとともに、区画外のＩＤタグからの無線信号の誤受信を防止し、より正確な滞在時間の測定が可能である入退室管理システムを提供する。【解決手段】入退室管理システムにおいて、区画内に設けられ、受信範囲内に存在する情報記録媒体から送信された無線信号を所定の受信周期で受信する受信手段４と、受信手段により受信された無線信号の識別情報に基づいて認証を行う認証手段６と、認証手段により認証された識別情報について、受信手段により受信された時間を積算することにより、当該識別情報の情報記録媒体の区画内の滞在時間を測定する時間測定手段７と、少なくとも受信手段の受信範囲が区画の外縁より外側へと越える箇所に、区画の外縁に沿って設けられ、無線信号を遮蔽する金属メッシュ８と、を備える。【選択図】図１
2014118791.tif 000002
【特許請求の範囲】
【請求項１】
利用者に所持され、予め記録された識別情報を含む無線信号を送信する情報記録媒体と、
区画内に設けられ、受信範囲内に存在する前記情報記録媒体から送信された無線信号を、予め定められた受信周期で受信する受信手段と、
前記受信手段により受信された無線信号に含まれる識別情報に基づいて認証を行う認証手段と、
前記認証手段により認証された識別情報について、前記受信手段により受信された時間を積算することにより、当該識別情報の情報記録媒体の前記区画内の滞在時間を測定する時間測定手段と、
少なくとも前記受信手段の前記受信範囲が前記区画の外縁より外側へと越える箇所に、前記区画の外縁に沿って設けられ、前記無線信号を遮蔽する金属メッシュと、を備えたことを特徴とする入退室管理システム。
【請求項２】
前記受信手段は、受信範囲が互いに異なるようにして複数設けられ、
前記時間測定手段は、前記認証手段により認証された識別情報について、複数の前記受信手段毎に受信された時間を積算することを特徴とする請求項１に記載の入退室管理システム。
【請求項３】
前記受信手段は、その受信範囲を、異なる複数の受信範囲から選択した１つへと切り換え可能であり、
前記時間測定手段は、前記認証手段により認証された識別情報について、複数の前記受信範囲毎に区別して、前記受信手段により受信された時間を積算することを特徴とする請求項１に記載の入退室管理システム。
【請求項４】
前記時間測定手段は、複数の前記受信手段毎に重み付けをした上で、受信された時間を積算することを特徴とする請求項２に記載の入退室管理システム。
【請求項５】
前記時間測定手段は、複数の前記受信範囲毎に重み付けをした上で、前記受信手段により受信された時間を積算することを特徴とする請求項３に記載の入退室管理システム。
【発明の詳細な説明】
【技術分野】
【０００１】
この発明は、入退室管理システムに関するものである。
【背景技術】
【０００２】
従来における入退室管理システムにおいては、ＩＣカードを用いたものがある。ＩＣカードを用いた従来における入退室管理システムとして一般的なものでは、入退室制限が課された施設内の区画の出入口にＩＣカードリーダーを設置し、この出入口を通過しようとする利用者は、自身が所持するＩＣカードに記録された識別情報をカードリーダーに読み取らせることで、認証が行われる。そして、認証に成功すれば、出入口の扉が解錠され、当該利用者の通行が許可される。
【０００３】
ここで、当該区画への入室時のみならず退室時にもＩＣカードによる認証を求めるようにすれば、ある識別情報について入室時の認証時刻と退室時の認証時刻とから、当該識別情報のＩＣカードの持ち主の当該区画内の滞在時間を測定することが可能である。
【０００４】
しかし、このようなＩＣカードとカードリーダーを用いた滞在時間の測定方法では、ある正規のＩＣカードを所持する利用者の認証成功により出入口の扉が開かれた際に、他の利用者が認証を経ることなく一緒に入退室することができる、いわゆる「共連れ」の問題がある。共連れが発生した場合には、区画における利用者の滞在時間を正確に測定することができなくなる。
【０００５】
また、ＩＣカードとカードリーダーに代えて、無線通信により認証情報の送受信が可能なＩＤタグ（アクティブ型のＲＦＩＤタグ）とアンテナとを用いて、区画における利用者の滞在時間を測定しようとした場合、アンテナの受信範囲と、区画の形状とを一致させることは困難であり、区画外のＩＤタグからの信号をアンテナが受信してしまい、区画における利用者の滞在時間を正確に測定することができなくなる可能性がある。
【０００６】
なお、無線通信を利用した携帯端末の技術分野においては、携帯端末に特別な機能を付加することなく、かつ、他の機器に悪影響を及ぼすことなく、ＰＨＳ端末を他の携帯電話端末から区別して検出することを目的として、所定のエリアの直前に、電磁波遮蔽エリアを配置し、携帯端末をこの電磁波遮蔽エリア内に導くことで、携帯端末を正規の基地局の圏外とした上で、擬似基地局と携帯端末との間の通信を成立させるものが従来において知られている（例えば、特許文献１参照）。
【先行技術文献】
【特許文献】
【０００７】
【特許文献１】特開２００２−０５８０７１号公報
【発明の概要】
【発明が解決しようとする課題】
【０００８】
しかしながら、特許文献１に示された従来技術は、前述したようにＰＨＳ端末検出装置に係り、ＰＨＳ端末を他の携帯電話端末から区別して検出すること目的とするものであって、ＩＤタグとアンテナ（受信装置）とを用いて区画内の滞在時間を測定する際については全く考慮されておらず、入退室管理システムに直ちに適用することはできない。
【０００９】
また、従来における区画内の滞在時間を測定する入退室管理装置においては、前述したように、共連れが発生した場合や、区画外のＩＤタグからの無線信号の誤受信が発生した場合には、区画における利用者の滞在時間を正確に測定することができなくなるという課題がある。
【００１０】
この発明は、このような課題を解決するためになされたもので、正規のＩＤタグを所持する全ての利用者の区画内での滞在時間を測定することが可能であるとともに、区画外のＩＤタグからの無線信号の誤受信を防止し、より正確な滞在時間の測定が可能である入退室管理システムを得るものである。
【課題を解決するための手段】
【００１１】
この発明に係る入退室管理システムにおいては、利用者に所持され、予め記録された識別情報を含む無線信号を送信する情報記録媒体と、区画内に設けられ、受信範囲内に存在する前記情報記録媒体から送信された無線信号を、予め定められた受信周期で受信する受信手段と、前記受信手段により受信された無線信号に含まれる識別情報に基づいて認証を行う認証手段と、前記認証手段により認証された識別情報について、前記受信手段により受信された時間を積算することにより、当該識別情報の情報記録媒体の前記区画内の滞在時間を測定する時間測定手段と、少なくとも前記受信手段の前記受信範囲が前記区画の外縁より外側へと越える箇所に、前記区画の外縁に沿って設けられ、前記無線信号を遮蔽する金属メッシュと、を備えたことを特徴とする入退室管理システム。
【発明の効果】
【００１２】
この発明に係る入退室管理システムにおいては、正規のＩＤタグを所持する全ての利用者の区画内での滞在時間を測定することが可能であるとともに、区画外のＩＤタグからの無線信号の誤受信を防止し、より正確な滞在時間の測定が可能であるという効果を奏する。
【図面の簡単な説明】
【００１３】
【図１】この発明の実施の形態１に係る入退室管理システムを備えた建物内の一区画の模式的な平面図である。
【図２】この発明の実施の形態２に係る入退室管理システムを備えた建物内の一区画の模式的な平面図である。
【図３】この発明の実施の形態３に係る入退室管理システムを備えた建物内の一区画の模式的な平面図である。
【発明を実施するための形態】
【００１４】
この発明を添付の図面に従い説明する。各図を通じて同符号は同一部分又は相当部分を示しており、その重複説明は適宜に簡略化又は省略する。
【００１５】
実施の形態１．
図１は、この発明の実施の形態１に係るもので、入退室管理システムを備えた建物内の一区画の模式的な平面図である。
【００１６】
この図１において、１は、施設又は建物等の内部において仕切られた区画である。この区画１の出入口１ａには、扉２が開閉自在に設けられている。区画１に出入りする利用者は、ＩＤタグ３を所持している。ＩＤタグ３は、いわゆるアクティブ型のＲＦＩＤ（Ｒａｄｉｏ  Ｆｒｅｑｕｅｎｃｙ  ＩＤｅｎｔｉｆｉｃａｔｉｏｎ）タグである。したがって、ＩＤタグ３には、このＩＤタグ３から無線信号を発信するための電力を供給する電池が内蔵されている。
【００１７】
ＩＤタグ３には、複数の利用者の各々を一意に識別可能な識別情報が予め記録されている。区画１内の所定の位置には、第１の受信装置４が設置されている。この第１の受信装置４は、ＩＤタグ３に記録された識別情報を無線通信により読み取るためのものである。
【００１８】
ＩＤタグ３から発信される無線信号には、このＩＤタグ３自身に記録された識別情報が含まれている。第１の受信装置４は、ＩＤタグ３から発信された無線信号（電磁波）を受信するためのアンテナ部及びこのアンテナ部で受信した無線信号を処理して当該無線信号に含まれる識別情報等を取得する信号処理部等を含んでいる。
【００１９】
第１の受信装置４によりＩＤタグ３から発信された無線信号を受信することが可能な範囲が第１の受信範囲５である。この第１の受信範囲の内に利用者が携行するＩＤタグ３が入ると、ＩＤタグ３はＩＤタグ３自身に記録されている識別情報を含む無線信号を第１の受信装置４へと送信する。第１の受信装置４はＩＤタグ３から送信された無線信号を受信し、当該受信した無線信号から識別情報を取得する。したがって、利用者がＩＤタグ３を所持した状態で第１の受信範囲５内に入るだけで、第１の受信装置４によるＩＤタグ３の識別情報の取得が行われる。
【００２０】
なお、ＩＤタグ３は、利用者が所持し、識別情報が記録され、無線通信により識別情報が読み取られる情報記録媒体の一例である。このような情報記録媒体としては、ここで挙げたアクティブ型のＲＦＩＤタグの他、待受通信方式（タグがタグ検出範囲内に入った必要時のみタグから無線信号が発信される方式）のいわゆるセミアクティブ型のＲＦＩＤタグを用いることでＩＤタグ３に内蔵された電池の消費を抑えることができる。
【００２１】
第１の受信装置４により受信されたＩＤタグ３の識別情報は、認証装置６へと入力される。認証装置６には、区画１内の滞在を許可された利用者の識別情報が認証情報として予め記憶されている。認証装置６は、第１の受信装置４からの識別情報（すなわち、第１の受信装置４によりＩＤタグ３から読み取られた識別情報）と、認証装置６に記憶された認証情報とを照合することにより、当該識別情報の利用者が区画１内での滞在を許可された者であるか否かの認証を行う。
【００２２】
そして、この認証の結果、識別情報と認証情報との照合に失敗した場合には、認証失敗となり、当該識別情報の利用者は、区画１内での滞在が許可されない者であるということになる。そこで、認証装置６での認証に失敗した場合には、図示しない報知装置により区画１内の当該利用者に対して退出を促す旨の報知を行ったり、施設又は建物の監視センターに滞在が許可されない者が区画１内にいる旨の報知を行ったりする。
【００２３】
一方、識別情報と認証情報との照合に成功した場合には、認証成功となる。認証装置６での認証に成功した場合には、この認証に成功した識別情報の利用者の区画１内での滞在時間が時間測定装置７により測定される。
【００２４】
この時間測定装置７による滞在時間の測定は、次のようにして行われる。認証装置６において認証に成功した識別情報は、時間測定装置７へと送られる。時間測定装置７は、認証装置６から送られてきた識別情報毎に、第１の受信装置４により当該識別情報を含む無線信号の受信継続時間を積算する。
【００２５】
ここで、ＩＤタグ３は、第１の受信範囲５内に入ると、予め定められた一定時間毎に当該ＩＤタグ３に記憶された識別情報を含む無線信号を第１の受信装置４へと送信する。第１の受信装置４は、第１の受信範囲５内のＩＤタグ３から送信された無線信号を予め定められた一定の受信周期毎に受信する。したがって、ＩＤタグ３が第１の受信範囲５内にある状態が継続していれば、前記受信周期毎に時間測定装置７へと当該ＩＤタグ３の識別情報が送られてくる。
【００２６】
よって、時間測定装置７は、ある同一の識別情報について前記受信周期毎に繰り返して認証装置６から送られてきた場合には、当該識別情報のＩＤタグ３を所持する利用者が継続して区画１内の第１の受信範囲５内に滞在していると判断することができる。そこで、時間測定装置７は、ある同一の識別情報について、認証装置６からの送信が開始されてから認証装置６から送信されなくなるまでの継続時間を積算することで、当該識別情報の利用者の滞在時間を測定する。
【００２７】
ここで、第１の受信範囲５は、第１の受信装置４のアンテナ部を中心とした略球状の空間領域であり、これを平面視すると図１に示すように略円状の領域となる。これに対し、区画１の形状は平面視で略円状になるとは限らず、例えば、図１に示すような矩形状であったりする。
【００２８】
このため、第１の受信範囲５と区画１とは必ずしもその範囲が一致せず、ＩＤタグ３を検出したい、すなわち、ＩＤタグ３を所持する利用者の滞在時間を測定したい領域を第１の受信範囲５により効率よくカバーしようとした場合に、第１の受信範囲５が区画１外へとはみ出してしまう可能性がある。
【００２９】
第１の受信範囲５が区画１外へとはみ出してしまうと、区画１外にいる利用者が所持するＩＤタグ３が第１の受信範囲５内に入ることが起こり得る。そして、そのような場合には、時間測定装置７により、区画１外にいる利用者が区画１内にいるものと誤って、滞在時間が測定されてしまう。
【００３０】
このような事態を防止するために、区画１の外縁を形成する区画１の壁の内部には、金属メッシュ８が設けられている。金属メッシュ８のメッシュの大きさは、ＩＤタグ３と第１の受信装置４との無線通信により使用される電磁波の波長を考慮して、この電磁波を十分に遮蔽することができるように設定される。この金属メッシュ８は、第１の受信範囲５が、滞在時間の測定対象である区画１の外縁よりも外側に越える箇所に少なくとも設けられる。
【００３１】
なお、ここでは、金属メッシュ８を、出入口１ａ部分を除く区画１の壁の内部に埋設しているが、出入口１ａ部分については、扉２の内部に金属メッシュを設けるようにすることもできる。金属メッシュ８は、ＩＤタグ３から第１の受信装置４へと送信される無線信号を遮蔽する遮蔽手段を構成している。
【００３２】
以上のように構成された入退室管理システムは、利用者に所持され、予め記録された識別情報を含む無線信号を送信する情報記録媒体であるＩＤタグ３と、区画内に設けられ、受信範囲内に存在する情報記録媒体から送信された無線信号を、予め定められた受信周期で受信する受信手段である第１の受信装置４と、受信手段により受信された無線信号に含まれる識別情報に基づいて認証を行う認証手段である認証装置６と、認証手段により認証された識別情報について、受信手段により受信された時間を積算することにより、当該識別情報の情報記録媒体の区画内の滞在時間を測定する時間測定手段である時間測定装置７と、少なくとも受信手段の受信範囲が区画の外縁より外側へと越える箇所に、区画の外縁に沿って設けられ、無線信号を遮蔽する金属メッシュ８と、を備えている。
【００３３】
このため、正規のＩＤタグを所持する全ての利用者の区画内での滞在時間を測定することが可能であるとともに、区画外のＩＤタグからの無線信号を誤って受信してしまうことを防止することができるため、より正確な滞在時間の測定が可能である。
【００３４】
実施の形態２．
図２は、この発明の実施の形態２に係るもので、入退室管理システムを備えた建物内の一区画の模式的な平面図である。
【００３５】
ここで説明する実施の形態２は、前述した実施の形態１の構成において、受信範囲の異なる複数の受信装置を設けるようにしたものである。そして、ＩＤタグからの信号を受信した受信装置毎に区別して滞在時間を測定したり、あるいは、どの受信装置によりＩＤタグからの信号を受信したかによって重み付けした滞在時間を測定したりするものである。
【００３６】
すなわち、図２に示すように、区画１内には、第１の受信装置４及び第２の受信装置９の２つの受信装置が設置されている。そして、第１の受信装置４によりＩＤタグ３から発信された無線信号を受信することが可能な範囲が第１の受信範囲５である。また、第２の受信装置９によりＩＤタグ３から発信された無線信号を受信することが可能な範囲が第２の受信範囲１０である。
【００３７】
第１の受信装置４及び第１の受信範囲５については、前述した実施の形態１と同様である。また、第２の受信装置９は、第１の受信装置４と基本的な構成は同じである。ただし、第２の受信範囲１０は、第１の受信範囲５とは異なるように設定される。具体的には、ここでは、第２の受信範囲１０は、第１の受信範囲５より狭い領域となるように設定される。
【００３８】
認証装置６は、第１の受信装置４により受信されたＩＤタグ３の識別情報、及び、第２の受信装置９により受信されたＩＤタグ３の識別情報のそれぞれについて認証を行う。そして、認証に成功した場合には、認証装置６は、認証に成功した識別情報と、当該識別情報を受信した受信装置（第１の受信装置４、第２の受信装置９）についての情報を時間測定装置７へと送る。
【００３９】
時間測定装置７は、認証装置６から送られてきた識別情報及び受信装置の情報に基づいて、それぞれの識別情報について、当該識別情報を受信した受信装置毎に区別して、当該識別情報が受信された継続時間を積算する。
【００４０】
前述したように、第１の受信範囲５と第２の受信範囲１０とは異なるように設定されているため、第１の受信範囲５と第２の受信範囲１０のどちらによりＩＤタグ３の識別情報が受信されたのかという情報は、当該ＩＤタグ３を所持する利用者の区画１内における位置に関する情報であると言える。
【００４１】
したがって、時間測定装置７により、識別情報を受信した受信装置毎に区別して当該識別情報が受信された継続時間を積算することで、区画１のどの位置にどれだけの時間滞在していたかという情報を得ることができる。具体的に例えば、図２に示した例では、第２の受信範囲１０が、第１の受信範囲５より狭く、かつ、第１の受信範囲５内に含まれるように設定されている。このため、第２の受信範囲１０の中心点等の区画１内のある特定の地点からの距離毎の滞在時間を時間測定装置７により測定することができる。
【００４２】
より詳しくは、ＩＤタグ３が第２の受信範囲１０の中心点に近く、ＩＤタグ３が第２の受信範囲１０内に入っている場合、当該ＩＤタグ３の識別情報は、第１の受信装置４及び第２の受信装置９の双方にて受信される。一方、ＩＤタグ３が第２の受信範囲１０の中心点から遠く、ＩＤタグ３が第１の受信範囲５内に入っているが第２の受信範囲１０内には入っていない場合、当該ＩＤタグ３の識別情報は第１の受信装置４のみにて受信される。したがって、時間測定装置７において、同一の識別情報について第１の受信装置４及び第２の受信装置９の双方で受信されたのか、第１の受信装置４のみで受信されたのかを確認することで、当該識別情報のＩＤタグ３の位置を求めることができる。
【００４３】
また、時間測定装置７においては、識別情報を受信した受信装置毎、すなわち、区画１内の位置毎あるいは区画１内の特定地点からの距離毎に測定した滞在時間について、それぞれの受信装置について予め定められた重み係数に従って重み付けをした上で、積算することもできる。
【００４４】
これは、例えば、原子力施設等において、核設備からの距離が近いほど空間線量が高く核設備からの距離が遠いほど空間線量が低くなるような状況である場合に、このような空間線量分布に応じた重み係数を設定しておくことで、時間測定装置７により積算された重み付きの滞在時間が空間線量の積算値に比例することとなるため有用である。
【００４５】
なお、このような重み付きの積算を行わなくとも、区画１内の位置に対する滞在時間を時間測定装置７により測定することで、上に挙げた原子力施設等の例においては、核設備からの距離が近い位置での滞在時間と核設備からの距離が遠い位置での滞在時間とを分けて測定することができるため、有用であることには変わりがない。
【００４６】
他の構成については実施の形態１と同様である。すなわち、例えば、図２の例では、第１の受信範囲５の一部が区画１の外縁にかかっているが、金属メッシュ８を備えることで、区画１外のＩＤタグ３と第１の受信装置４との間の無線通信は遮断されている。
【００４７】
なお、以上においては、区画１内に、第１の受信装置４及び第２の受信装置９の２つの受信装置を設置し、第１の受信範囲５及び第２の受信範囲１０の２つの異なる受信範囲を設定するようにしたが、受信装置及び受信範囲の数は２つに限られず、２つ以上としてもよい。設ける受信装置及び受信範囲の数を増やすことで、より細かく受信範囲を設定し、より正確な位置の判別を行うことができる。
【００４８】
以上のように構成された入退室管理システムは、実施の形態１の構成において、受信範囲が互いに異なるようにして複数の受信装置（第１の受信装置４及び第２の受信装置９）を設け、時間測定手段である時間測定装置７は、認証手段（認証装置６）により認証された識別情報について、複数の受信装置毎に受信された時間を積算するものである。
【００４９】
このため、実施の形態１と同様の効果を奏することができるのに加えて、さらに、区画１内にあるＩＤタグ３の位置毎に滞在時間を測定することができる。
【００５０】
実施の形態３．
図３は、この発明の実施の形態３に係るもので、入退室管理システムを備えた建物内の一区画の模式的な平面図である。
【００５１】
前述した実施の形態２は、複数の異なる受信範囲を設定するため、受信範囲と同数の受信装置を区画内に設置するものであった。これに対し、ここで説明する実施の形態３は、可変な受信範囲を有する受信装置を用いることで、少ない受信装置でもって複数の異なる受信範囲の設定を可能としたものである。
【００５２】
すなわち、図３に示すように、区画１内には、第３の受信装置１１が設置されている。この第３の受信装置１１は、ＩＤタグ３から送信された無線信号を受信することができる受信範囲を変化させることができる。ここでは、第３の受信装置１１の可変する受信範囲として、第３の受信範囲１２と第４の受信範囲１３の２つを例示する。
【００５３】
第３の受信装置１１は、受信範囲を第３の受信範囲１２及び第４の受信範囲１３の間で一定周期毎に交互に変化させている。ここでは、第４の受信範囲１３は、第３の受信範囲１２より狭く、かつ、第３の受信範囲１２内に含まれている。
【００５４】
第３の受信装置１１は、ＩＤタグ３から送信された無線信号を受信すると、この受信した無線信号に含まれる識別情報を取得する。そして、取得した識別情報とともに、当該識別情報を含む無線信号を受信した時点における第３の受信装置１１の受信範囲に関する情報を認証装置６へと送信する。ここでは、第３の受信装置１１の受信範囲は、第３の受信範囲１２と第４の受信範囲１３の２種類であるので、第３の受信装置１１から認証装置６へと送られる受信範囲に関する情報の内容は、第３の受信範囲１２か第４の受信範囲１３のいずれかである。
【００５５】
認証装置６は、第３の受信装置１１より送信された識別情報について認証を行う。認証に成功した場合には、認証装置６は、認証に成功した識別情報と、当該識別情報を受信した時点における第３の受信装置１１の受信範囲が第３の受信範囲１２及び第４の受信範囲１３のいずれであったのか情報を時間測定装置７へと送る。
【００５６】
時間測定装置７は、認証装置６から送られてきた識別情報及び受信範囲の情報に基づいて、それぞれの識別情報について、当該識別情報を受信した受信範囲毎に区別して、当該識別情報が受信された継続時間を積算する。
【００５７】
ＩＤタグ３が第４の受信範囲１３内に入っている場合、当該ＩＤタグ３の識別情報は、第３の受信装置１１の受信範囲が第３の受信範囲１２の時と第４の受信範囲１３の時の両方で受信される。一方、ＩＤタグ３が第３の受信範囲１２内に入っているが第４の受信範囲１３内には入っていない場合、当該ＩＤタグ３の識別情報は第３の受信装置１１の受信範囲が第３の受信範囲１２の時は受信されるが、第４の受信範囲１３の時は受信されない。
【００５８】
したがって、時間測定装置７において、同一の識別情報について第３の受信装置１１の受信範囲が第３の受信範囲１２の時と第４の受信範囲１３の時の両方で受信されたのか、あるいは、同一の識別情報について第３の受信装置１１の受信範囲が第３の受信範囲１２の時は受信されたが第４の受信範囲１３の時は受信されなかったのかを確認することで、当該識別情報のＩＤタグ３の位置を求めることができる。
【００５９】
なお、ここでは、第３の受信装置１１が切り換え可能な受信範囲として、第３の受信範囲１２と第４の受信範囲１３の２つの受信範囲がある場合を例として説明したが、第３の受信装置１１が切り換え可能な受信範囲の数は２つに限られず、２つ以上（複数）であってもよい。第３の受信装置１１が切り換え可能な受信範囲の数を増やすことで、より細かく受信範囲を設定し、より正確な位置の判別を行うことができる。
【００６０】
このように、受信装置として受信範囲が可変であって、その受信範囲を、異なる複数の受信範囲から選択した１つへと切り換え可能である第３の受信装置１１を用いることで、設置が必要な受信装置の数を少なく抑えながら、実施の形態２と同様に、区画１内にあるＩＤタグ３の位置毎に滞在時間を測定することができる。
【符号の説明】
【００６１】
１  区画、  １ａ  出入口、  ２  扉、  ３  ＩＤタグ、  ４  第１の受信装置、  ５  第１の受信範囲、  ６  認証装置、  ７  時間測定装置、  ８  金属メッシュ、  ９  第２の受信装置、  １０  第２の受信範囲、  １１  第３の受信装置、  １２  第３の受信範囲、  １３  第４の受信範囲。
【図１】
2014118791.tif 000003
【図２】
2014118791.tif 000004
【図３】
2014118791.tif 000005